(57)【要約】【課題】低電力消費で、寿命が長く、良好な照明性能を発揮させることができる小形携帯電灯を安価に提供する。【解決手段】光源としての冷陰極蛍光管２と、電源電池３からの電力供給を受けて、交流高電圧で前記冷陰極蛍光管を駆動する点灯駆動回路４と、前記冷陰極蛍光管２からの光を前方へ反射させる略ドーム形のリフレクタ５と、を備え、前記冷陰極蛍光管２を湾曲、例えば螺旋状に成形する。【選択図】    図１
0003122276.tif 000002
【実用新案登録請求の範囲】
【請求項１】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、湾曲成形されていることを特徴とする小形携帯電灯。
【請求項２】
前記冷陰極蛍光管が光軸（Ｘ）中心に巻いた螺旋形に成形されている請求項１に記載の小形携帯電灯。
【請求項３】
前記冷陰極蛍光管の螺旋直径をＲ、光軸（Ｘ）方向の全長をＬとすると、それらの比率Ｒ／Ｌが１／１．４〜１／０．７に設定されている請求項１または２に記載の小形携帯電灯。
【請求項４】
前記リフレクタの光軸（Ｘ）方向の深さをＨ、リフレクタ開口部の直径をＤとすると、それらの比率Ｈ／Ｄが１／３．１６〜１／２．１１に設定されている請求項１〜３のいずれかに記載の小形携帯電灯。
【請求項５】
前記冷陰極蛍光管の螺旋直径Ｒとリフレクタの開口部の直径Ｄとの比率Ｒ／Ｄが１／６．１１以下に設定されている請求項２〜４のいずれかに記載の小形携帯電灯。
【請求項６】
前記冷陰極蛍光管の管径ｔが５ｍｍ以下に設定されている請求項１〜５のいずれかに記載の小形携帯電灯。
【請求項７】
前記リフレクタの底部と前記冷陰極蛍光管の基端との間隔ｈが該冷陰極蛍光管の光軸（Ｘ）方向の全長Ｌ以上に設定されている請求項１〜６のいずれかに記載の小形携帯電灯。
【請求項８】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、光軸（Ｘ）中心に巻いた螺旋形に成形されており、
前記冷陰極蛍光管の螺旋直径をＲ、光軸（Ｘ）方向の全長をＬとすると、それらの比率Ｒ／Ｌが１／１．４〜１／０．７に設定されていることを特徴とする小形携帯電灯。
【請求項９】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、光軸（Ｘ）中心に巻いた螺旋形に成形されており、
前記冷陰極蛍光管の螺旋直径をＲ、光軸（Ｘ）方向の全長をＬとすると、それらの比率Ｒ／Ｌが１／１．４〜１／０．７に設定されており、
前記リフレクタの光軸（Ｘ）方向の深さをＨ、リフレクタ開口部の直径をＤとすると、それらの比率Ｈ／Ｄが１／３．１６〜１／２．１１に設定されていることを特徴とする小形携帯電灯。
【請求項１０】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、光軸（Ｘ）中心に巻いた螺旋形に成形されており、
前記冷陰極蛍光管の螺旋直径をＲ、光軸（Ｘ）方向の全長をＬとすると、それらの比率Ｒ／Ｌが１／１．４〜１／０．７に設定されており、
前記リフレクタの光軸（Ｘ）方向の深さをＨ、リフレクタ開口部の直径をＤとすると、それらの比率Ｈ／Ｄが１／３．１６〜１／２．１１に設定されており、
前記冷陰極蛍光管の螺旋直径Ｒとリフレクタの開口部の直径Ｄとの比率Ｒ／Ｄが１／６．１１以下に設定されていることを特徴とする小形携帯電灯。
【請求項１１】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、光軸（Ｘ）中心に巻いた螺旋形に成形されており、
前記冷陰極蛍光管の螺旋直径をＲ、光軸（Ｘ）方向の全長をＬとすると、それらの比率Ｒ／Ｌが１／１．４〜１／０．７に設定されており、
前記リフレクタの光軸（Ｘ）方向の深さをＨ、リフレクタ開口部の直径をＤとすると、それらの比率Ｈ／Ｄが１／３．１６〜１／２．１１に設定されており、
前記冷陰極蛍光管の螺旋直径Ｒとリフレクタの開口部の直径Ｄとの比率Ｒ／Ｄが１／６．１１以下に設定されており、
前記冷陰極蛍光管の管径ｔが５ｍｍ以下に設定されていることを特徴とする小形携帯電灯。
【請求項１２】
光源としての冷陰極蛍光管と、
電源電池からの電力供給を受けて、交流高電圧で前記冷陰極蛍光管を駆動する点灯駆動回路と、
前記冷陰極蛍光管からの光を前方へ反射させる略ドーム形のリフレクタと、
を備え、
前記冷陰極蛍光管は、光軸（Ｘ）中心に巻いた螺旋形に成形されており、
前記冷陰極蛍光管の螺旋直径をＲ、光軸（Ｘ）方向の全長をＬとすると、それらの比率Ｒ／Ｌが１／１．４〜１／０．７に設定されており、
前記リフレクタの光軸（Ｘ）方向の深さをＨ、リフレクタ開口部の直径をＤとすると、それらの比率Ｈ／Ｄが１／３．１６〜１／２．１１に設定されており、
前記冷陰極蛍光管の螺旋直径Ｒとリフレクタの開口部の直径Ｄとの比率Ｒ／Ｄが１／６．１１以下に設定されており、
前記冷陰極蛍光管の管径ｔが５ｍｍ以下に設定されており、
前記リフレクタの底部と前記冷陰極蛍光管の基端との間隔ｈが該冷陰極蛍光管の光軸（Ｘ）方向の全長Ｌ以上に設定されていることを特徴とする小形携帯電灯。
【考案の詳細な説明】
【技術分野】
【０００１】
この考案は、懐中電灯などの小形携帯電灯に関する。
【背景技術】
【０００２】
一般に懐中電灯などの小形携帯電灯は、光源として、豆球と称される小形白熱電球ないしはキセノン電球などを使用したものが多い。
【０００３】
しかし、上記のように小形白熱電球などを使用したものでは、フィラメントなどの抵抗に通電した際の発熱に付随する発光を利用したものであり、可視光のエネルギーの利用効率が低いために、消費電力の割りに高輝度が得られないうえ、発熱により寿命が短いという欠点があった。
【０００４】
このため、最近では、高輝度に発光し、電力消費も少なく、長寿命化が図れる発光ダイオード（ＬＥＤ）を光源に使用したものが普及しはじめている（例えば、特許文献１参照）。
【特許文献１】特開２００２−１０９９０１号公報
【考案の開示】
【考案が解決しようとする課題】
【０００５】
しかし、光源としてＬＥＤを使ったものは、製造コストが比較的高く、高価になるという問題がある。
【０００６】
ところで、液晶表示機器のバックライトに使用される直管形の冷陰極蛍光管（ＣＣＦＬ：Cold Cathode Fluorescent Lamp)は、比較的低コストで高輝度が得られるものであるが、二つの電極が管体の長さ方向の両端にそれぞれ離れて配置されているから、小型携帯電灯に必要な点光源を得ようとすると、全長を短くするしかない。しかし、管体を短くすると、十分な発効面積が得られなくなる。
【０００７】
また、直管のものでは、従来一般に使用される先広がり状のリフレクタの底部に、ビーム状投光が行えるように配置することが、なかなか難しいという問題があった。
【０００８】
この考案は、上記実情の鑑みてなされたものであり、消費電力も少なく、寿命化が図れ、既存のフレクタを使用して好適なビーム状投光による良好な照明性能が得られる小形携帯電灯を安価にして提供することを課題とする。
【課題を解決するための手段】
【０００９】
上記課題は、以下の手段によって解決される。
【００１０】
（１）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、湾曲成形されていることを特徴とする小形携帯電灯。
【００１１】
（２）前記冷陰極蛍光管が光軸（Ｘ）中心に巻いた螺旋形に成形されている前項（１）に記載の小形携帯電灯。
【００１２】
（３）前記冷陰極蛍光管の螺旋直径をＲ、光軸（Ｘ）方向の全長をＬとすると、それらの比率Ｒ／Ｌが１／１．４〜１／０．７に設定されている前項（１）または（２）に記載の小形携帯電灯。
【００１３】
（４）前記リフレクタの光軸（Ｘ）方向の深さをＨ、リフレクタ開口部の直径をＤとすると、それらの比率Ｈ／Ｄが１／３．１６〜１／２．１１に設定されている前項（１）〜（３）のいずれかに記載の小形携帯電灯。
【００１４】
（５）前記冷陰極蛍光管の螺旋直径Ｒとリフレクタの開口部の直径Ｄとの比率Ｒ／Ｄが１／６．１１以下に設定されている前項（２）〜（４）のいずれかに記載の小形携帯電灯。
【００１５】
（６）前記冷陰極蛍光管の管径ｔが５ｍｍ以下に設定されている前項（１）〜（５）のいずれかに記載の小形携帯電灯。
【００１６】
（７）前記リフレクタの底部と前記冷陰極蛍光管の基端との間隔ｈが該冷陰極蛍光管の光軸（Ｘ）方向の全長Ｌ以上に設定されている前項（１）〜（６）のいずれかに記載の小形携帯電灯。
【００１７】
（８）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、光軸（Ｘ）中心に巻いた螺旋形に成形されており、前記冷陰極蛍光管の螺旋直径をＲ、光軸（Ｘ）方向の全長をＬとすると、それらの比率Ｒ／Ｌが１／１．４〜１／０．７に設定されていることを特徴とする小形携帯電灯。
【００１８】
（９）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、光軸（Ｘ）中心に巻いた螺旋形に成形されており、前記冷陰極蛍光管の螺旋直径をＲ、光軸（Ｘ）方向の全長をＬとすると、それらの比率Ｒ／Ｌが１／１．４〜１／０．７に設定されており、前記リフレクタの光軸（Ｘ）方向の深さをＨ、リフレクタ開口部の直径をＤとすると、それらの比率Ｈ／Ｄが１／３．１６〜１／２．１１に設定されていることを特徴とする小形携帯電灯。
【００１９】
（１０）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、光軸（Ｘ）中心に巻いた螺旋形に成形されており、前記冷陰極蛍光管の螺旋直径をＲ、光軸（Ｘ）方向の全長をＬとすると、それらの比率Ｒ／Ｌが１／１．４〜１／０．７に設定されており、前記リフレクタの光軸（Ｘ）方向の深さをＨ、リフレクタ開口部の直径をＤとすると、それらの比率Ｈ／Ｄが１／３．１６〜１／２．１１に設定されており、前記冷陰極蛍光管の螺旋直径Ｒとリフレクタの開口部の直径Ｄとの比率Ｒ／Ｄが１／６．１１以下に設定されていることを特徴とする小形携帯電灯。
【００２０】
（１１）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、光軸（Ｘ）中心に巻いた螺旋形に成形されており、前記冷陰極蛍光管の螺旋直径をＲ、光軸（Ｘ）方向の全長をＬとすると、それらの比率Ｒ／Ｌが１／１．４〜１／０．７に設定されており、前記リフレクタの光軸（Ｘ）方向の深さをＨ、リフレクタ開口部の直径をＤとすると、それらの比率Ｈ／Ｄが１／３．１６〜１／２．１１に設定されており、前記冷陰極蛍光管の螺旋直径Ｒとリフレクタの開口部の直径Ｄとの比率Ｒ／Ｄが１／６．１１以下に設定されており、前記冷陰極蛍光管の管径ｔが５ｍｍ以下に設定されていることを特徴とする小形携帯電灯。
【００２１】
（１２）光源としての冷陰極蛍光管と、電源電池からの電力供給を受けて、交流高電圧で前記冷陰極蛍光管を駆動する点灯駆動回路と、前記冷陰極蛍光管からの光を前方へ反射させる略ドーム形のリフレクタと、を備え、前記冷陰極蛍光管は、光軸（Ｘ）中心に巻いた螺旋形に成形されており、前記冷陰極蛍光管の螺旋直径をＲ、光軸（Ｘ）方向の全長をＬとすると、それらの比率Ｒ／Ｌが１／１．４〜１／０．７に設定されており、前記リフレクタの光軸（Ｘ）方向の深さをＨ、リフレクタ開口部の直径をＤとすると、それらの比率Ｈ／Ｄが１／３．１６〜１／２．１１に設定されており、前記冷陰極蛍光管の螺旋直径Ｒとリフレクタの開口部の直径Ｄとの比率Ｒ／Ｄが１／６．１１以下に設定されており、前記冷陰極蛍光管の管径ｔが５ｍｍ以下に設定されており、前記リフレクタの底部と前記冷陰極蛍光管の基端との間隔ｈが該冷陰極蛍光管の光軸（Ｘ）方向の全長Ｌ以上に設定されていることを特徴とする小形携帯電灯。
【考案の効果】
【００２２】
この考案によれば、電源電池からの電力供給を受けて点灯駆動回路により、交流高電圧が生起され、この交流高電圧が冷陰極蛍光管に印加されることにより、該冷陰極蛍光管が点灯される。
【００２３】
また、光源として冷陰極蛍光管を使用したから、ＬＥＤよりも安価に製作できるうえ、抵抗発熱の電球などと違って、消費電力が少なく、寿命も長くなる。
【００２４】
とくに、上記冷陰極蛍光管が湾曲成形されていることにより、光源専有面積に対する発光面積も増大し、これにより在来の略ドーム形のリフレクタの底部に適正に配置すれば、小形携帯電灯に好ましいビーム状投光を得ることが可能となる。
【００２５】
冷陰極蛍光管が螺旋状である場合には、点光源相当として小型携帯電灯に好適に適用しうる発光面積／容積比を確保できる。
【００２６】
冷陰極蛍光管の螺旋直径Ｒと光軸方向の全長Ｌとの比率Ｒ／Ｌが１／１．４〜１／０．７に設定されている場合には、冷陰極蛍光管の全長Ｌが螺旋直径Ｒを大幅に超えない寸法関係により、該冷陰極蛍光管を点光源に一段と近似させることができる。
【００２７】
前記リフレクタの光軸方向に深さＨとリフレクタ開口部直径Ｄとの比率Ｈ／Ｄが１／３．１６〜１／２．１１に設定されている場合には、冷陰極蛍光管の螺旋外周面からの面発光であっても、その発光をリフレクタで良好に前方へ反射させることができる。
【００２８】
冷陰極蛍光管の螺旋直径Ｒとリフレクタ開口部の直径Ｄとの比率Ｒ／Ｄが（１／６．１１）以下に設定されている場合には、冷陰極蛍光管の螺旋直径Ｒがリフレクタ開口部の直径Ｄに比べてかなり小さく、点光源機能が有効に発揮される。
【００２９】
前記冷陰極蛍光管の管径ｔが５ｍｍ以下に設定されている場合には、冷適陰極蛍光管の湾曲加工が容易であり、例えば螺旋では、適正な巻き数の加工が容易になり、これによって十分な発光面積を得ることが可能となる。
【００３０】
リフレクタの底部と前記冷陰極蛍光管の基端との間隔ｈが該冷陰極蛍光管の光軸方向の全長Ｌ以上に設定されている場合には、冷陰極蛍光管の基部側の発光も有効にリフレクタで反射されて投射され、従って光束量が低下することはない。
【考案を実施するための最良の形態】
【００３１】
以下、この考案の一実施形態を図面に基づいて説明する。
【００３２】
図１は、この考案の実施形態に係る小形携帯電灯の構成を示す概略断面図である。
【００３３】
図１において、この小形携帯電灯は、本体ケース１と、光源としての冷陰極蛍光管２と、電源電池３と、冷陰極蛍光管２に対する点灯駆動回路４と、前記冷陰極蛍光管２からの光を前方へ反射させるリフレクタ５とを備えている。
【００３４】
なお、ここで、前記電源電池３から光源である冷陰極線管２までの電気的接続に係わる部品や構造については、任意に選択できるものであるから、図示や説明を省略する。
【００３５】
前記本体ケース１は、金属材ないしは合成樹脂により、例えば前壁が開放された円筒形に成形されており、前記点灯駆動回路４や電池３が取替え可能に収容されるようになっている。また、本体ケース１の前端開口部に前記リフレクタ５が着脱可能に装着されている。勿論、本体ケース１の材質、形状および構造などは、任意に変更可能である。
【００３６】
さらに、この本体ケース１の外周壁部には、電源スイッチ１１の操作部１１ａが装着されている。電源スイッチ１１としては、例えば押しボタンやスライドスイッチなどがある。
【００３７】
前記光源としての冷陰極蛍光管２は、例えば、管径ｔ（図２に示す）が数ｍｍ程度（例えば３ｍｍ）のものを図２および図３に示すように、光軸Ｘ（中心軸）回りに、例えば数回巻いて螺旋形に成形したものである。
【００３８】
なお、周知のように、この冷陰極蛍光管２の内面には、蛍光物質が塗布されており、内部に微量（数ｍｇ）の水銀と希ガスとしてのアルゴンガスなどが封入されている。そして。一対の電極（図示せず）間に交流の高電圧が印加されると、両電極間の水銀蒸気中での放電が起こり、それに伴って電子が水銀原子に衝突して紫外線（２５３ｎｍ）が発生し、この紫外線が蛍光物質の原子を励起する。この励起された蛍光体原子が低エネルギー準位に戻る時に、エネルギー差に相当する波長の光が放出される。
【００３９】
また、この冷陰極蛍光管２を点光源に近似させるために、冷陰極蛍光管２の螺旋直径をＲ、光軸（Ｘ）方向の全長をＬとすると、それらの比率Ｒ／Ｌが１／１．４〜１／０．７に設定してある。この実施形態では、例えばＲ＝１３．１ｍｍ、Ｌ＝１２．８ｍｍに設定されている。
【００４０】
前記電源電池３は、例えば一次電池（乾電池）が使用されているが、二次電池でも使用可能である。
【００４１】
前記点灯駆動回路４は、電源電池３の直流電圧を交流の高電圧に変換して冷陰極蛍光管２に印加するためのものである。
【００４２】
前記リフレクタ５は、金属ないしは合成樹脂から先広がり状の略ドーム形に成形されており、放物曲線に沿った反射面を構成する内周面には、めっきなどにより鏡面仕上げが施されている。
【００４３】
点光源に近似させるために、螺旋に成形されている冷陰極蛍光管２の発光を有効なビーム光として前方に向けて投射させるために、前記リフレクタ５の光軸（Ｘ）方向の深さをＨ、開口部の直径をＤとした場合、それらの比率Ｈ／Ｄを１／３．１６〜１／２．１１の関係に設定してある。ここでは、例えばＨ＝３８ｍｍ、Ｄ＝９０ｍｍに設定されている。
【００４４】
前記リフレクタ５の底部と前記冷陰極蛍光管２の基端との間には、光軸方向の長さ（高さ）が一定長さｈを有する台座６が介在されている。
【００４５】
この台座６は、リフレクタ５の底部と前記冷陰極蛍光管２の基端との間に間隔ｈを存在させるものであり、この間隔ｈが該冷陰極蛍光管２の光軸方向の全長Ｌ以上に設定されている。ここでは、例えばｈ＝１６ｍｍに設定されている。
【００４６】
なお、前記リフレクタ５の開口端部には、前面ガラス７が装着されている。
【００４７】
図４は、この小形携帯電灯の電気的構成図である。
【００４８】
図４において、この小形携帯電灯は、電池３に対して、前記点灯駆動回路４が並列に接続されており、この点灯駆動回路４の出力端に前記冷陰極蛍光管２が接続されている。
【００４９】
前記電池３の一方の電極（正極）と前記点灯駆動回路４との間に電源スイッチ１１が介挿接続されている。
【００５０】
前記点灯駆動回路４は、ＤＣ／ＡＣインバータ回路で構成されており、例えばインダクタ４１と、抵抗体４２と、対称接続されて交互にスイッチング動作する一対のスイッチングトランジスタ４３，４４と、共振用コンデンサ４５と、一次コイル４６Ａと、二次コイル４６Ｂおよび一次側のスイッチング制御用コイル４６Ｃを有する高圧トランス４６と、バラストコンデンサ４７を備えている。
【００５１】
高圧トランス４６の一次コイル４６Ａに前記一対のスイッチングトランジスタ４３，４４が接続されている。
【００５２】
この点灯駆動回路４の動作の概要を説明すれば、まず、電源スイッチ１１が投入されると、電池３の直流電圧がインダクタ４１および抵抗体４２に印加され、直流電流が高圧トランス４６の一次コイル４６Ａの中間タップに流れる。それにより共振コンデンサ４５に一次コイル４６Ａとの時定数で共振する電流が流れ、これに伴って前記制御用コイル４６Ｃに誘起された交流の制御電圧により、一方のトランジスタがＯＮし、他方のトランジスタ４４がＯＦＦしてスイッチング動作を繰り返す。
【００５３】
これらトランジスタ４３，４４のスイッチング動作で、高圧トランス４６の一次コイル４６Ａの中間タップと一端が交互に通電されて、該高圧トランス４６の一次コイル４６Ａに交流電圧が生起される。この交流電圧が高圧トランス４６の所定の昇圧比で昇圧され、二次コイル４６Ｂに所定の交流高電圧が発生する。
【００５４】
この交流高電圧がバラストコンデンサ４７を介して前記冷陰極蛍光管２に印加されて、該冷陰極蛍光管２が点灯されることになる。
【００５５】
図４において、４８，４９は、点灯駆動回路４の出力端に前記冷陰極蛍光管２の一対の電極を接離可能に接続するための一対のコネクタである。
【００５６】
なお、点灯駆動回路４は、この例に示すインバータ回路の構成に限らず、種々の変形例を採用可能である。
【００５７】
上記構成の小形携帯電灯においては、前記点灯駆動回路４による交流高電圧が冷陰極蛍光管２の一対の電極間に印加されると、冷陰極蛍光管２が常温で放電し、それに伴って前記管内に生起された紫外線が蛍光物質を励起して発光する。つまり、放電のために加熱を必要としないので、電力消費が比較的小さく、長寿命化を図ることができる。また、構造が簡単であり、小形化を進めやすい。
【００５８】
とくに、前記冷陰極蛍光管２を螺旋状に成形しているから、点光源に近似させることが可能となり、さらに、螺旋状の冷陰極蛍光管２の螺旋の周面を含めて全方位から発光し、直管を単に短くしたものと違って有効な発光面積を確保することができる。勿論、螺旋状に限らず、点光源に近似となるような他の形状に湾曲させることも可能である。
【００５９】
ところで、前記冷陰極蛍光管２の螺旋の巻き数が少ないと、発光による小形携帯電灯の実用性を満足できる光束量が確保されにくいから、数回が適当である。
【００６０】
また、冷陰極蛍光管２の管径（図２）ｔが大きいと、一定の光束量が得られる最低限の巻き数に成形しにくことから、管径ｔは５ｍｍ以下とするのがよい。
【００６１】
さらに、前記螺旋状の冷陰極蛍光管２を点光源に近似させるには、螺旋直径Ｒと光軸（Ｘ）方向の全長Ｌとの偏りが少なくするのが好ましく、このため、螺旋直径Ｒと光軸方向の全長Ｌの比率Ｒ／Ｌを、１／１．４以上〜１／０．７以下に設定することにより、前記点光源に近似させやすくなる。
【００６２】
ところで、光源としてのＬＥＤなどでは、発光指向性が略前方向きに限られているので、リフレクタの形状などについての対策はほとんど不要である。これに対して、ここでの螺旋状の冷陰極蛍光管２では、螺旋外周面からの発光であるから、その発光を有効に生かして照射面の照度を確保するために、リフレクタの形状などを規定する必要があり、前述したように、前記リフレクタ５の光軸方向の深さＨと該リフレクタ５の開口部の直径Ｄとの比率Ｈ／Ｄは、１／３．１６〜１／２．１１に設定されるのが良い。
【００６３】
また、リフレクタ５に対して冷陰極蛍光管２を点光源相当として機能させるためには、前記冷陰極蛍光管２の螺旋直径Ｒとリフレクタ５の開口部の直径Ｄとの比率Ｒ／Ｄが１／６．１１以下に設定されるのが望ましい。
【００６４】
図５は、この小形携帯電灯の性能評価法の一例を示す概念図である。
【００６５】
図５では、前記光源としての冷陰極蛍光管２からの近値点３．８ｍにおける光軸からの±１．５ｍ範囲の投射面の照度（ｌｘ）と、遠値点９ｍにおける±２ｍ範囲の投射面の照度（ｌｘ）で評価している。
【００６６】
図６は、前記性能評価法により、前記リフレクタ５の光軸方向の深さＨと該リフレクタ５の開口部の直径Ｄと比率Ｈ／Ｄの違いによる小形携帯電灯の性能の変化を調べた結果を示す。
【００６７】
この図６は、リフレクタ５の光軸方向の深さＨと前記台座６の長さｈを一定として、前記開口部の直径Ｄを変化させたときの照度変化の特性を示している。
【００６８】
図６から分かるように、前記Ｈ／Ｄが１／３．１６より小さい場合（鎖線で示す）と、Ｈ／Ｄが１／２．１１より大きい場合（点線で示す）は、冷陰極蛍光管２からの距離が０〜１．５ｍ範囲の投射面照度が５（ｌｘ）にも満たない。
【００６９】
これに対して、前記Ｈ／Ｄが１／３．１６では、実線の特性のように、中心軸から近い範囲での投射面照度が２０．７（ｌｘ）と著しく大きい値となっている。
【００７０】
このため、前記リフレクタ５の光軸（Ｘ）方向の深さＨとリフレクタ開口部直径Ｄとの比率Ｈ／Ｄが１／３．１６以上で、１／２．１１以下に設定すれば、冷陰極蛍光管２の螺旋部からの面発光であっても、冷陰極蛍光管２を近似点光源として、リフレクタ５により良好にビーム光として反射させることができる。
【００７１】
図７は、前記性能評価法により、前記冷陰極蛍光管２の螺旋直径Ｒとリフレクタ５の開口部の直径Ｄとの比率Ｒ／Ｄの違いによる小形携帯電灯の性能の変化を調べた結果を示す。
【００７２】
図７から分かるように、Ｈ／Ｄ＝１／１．８４、Ｒ／Ｄ＝１／５．３４の場合に、点線の特性のように、光軸（Ｘ）からの距離が０〜１．５ｍ範囲の投射面照度がほぼ同じレベルで低い。
【００７３】
これに対して、Ｈ／Ｄ＝１／１．１３、Ｒ／Ｄ＝１／６．４９では、実線で示す特性のように、光軸（Ｘ）に近い範囲での投射面照度が６．５（ｌｘ）と大きくなっている。
【００７４】
また、Ｈ／Ｄ＝２．１１、Ｒ／Ｄ＝１／６．１１でも、鎖線で示す特性のように、光線（Ｘ）に近い範囲での投射面照度が５．４２（ｌｘ）と比較的大きい。従って、冷陰極蛍光管２の螺旋直径Ｒとリフレクタ開口部の直径Ｄとの比率Ｒ／Ｄを１／６．１１以下に設定することにより、点光源機能が有効に発揮される。
【００７５】
図８は、前記性能評価法により、リフレクタ５の底部から冷陰極蛍光管２の基端までの距離ｈの違いによる小形携帯電灯の性能の変化を調べた結果を示す。
【００７６】
ここでは、リフレクタ５の光軸方向の深さＨとリフレクタ開口部の直径Ｄを一定として、前記台座６の全長ｈを変化させている。
【００７７】
図８から分かるように、リフレクタ５の底部から冷陰極蛍光管２の基端までの距離ｈが１６ｍｍでは、点線の特性のように、光軸（Ｘ）から０〜１．５ｍ範囲の投射面照度がほぼ１２．５（ｌｘ）と比較的高い値であり、リフレクタ５の底部から冷陰極蛍光管２の基端までの間隔ｈが０ｍｍでは、鎖線の特性のように、光軸（Ｘ）から０〜１．５ｍ範囲の投射面照度はほぼ８．１（ｌｘ）と低い値となっている。
【００７８】
つまり、前記リフレクタ５の底部から冷陰極蛍光管２の基端までの距離ｈを確保するために、前記台座６を介在すると、前記螺旋状にした冷陰極蛍光管２を点光源として有効に発揮され、もって発光をリフレクタ５を介して平行光として投射することができる。
【００７９】
図９（Ａ）（Ｂ）は、前記性能評価法により、冷陰極蛍光管２からの光の投射距離による特性の変化を調べた結果を示す。
【００８０】
図９（Ａ）は、投射距離３．８ｍにおいて、前述したＨ／Ｄ、Ｒ／Ｄ、ｈ／Ｌのパラメータを変化させた際の特性であり、また、図９（Ｂ）は、投射距離９．０ｍにおいて、前述したＨ／Ｄ、Ｒ／Ｄ、ｈ／Ｌのパラメータを変化させた際の特性である。
【００８１】
これらの図９（Ａ）（Ｂ）から、Ｄ／Ｈ、Ｒ／Ｈ、ｈ／Ｌのパラメータの組み合わせによる性能の優劣は、投光距離が異なっても変わらないことが分かる。
【図面の簡単な説明】
【００８２】
【図１】この考案の一実施形態に係る小形携帯電灯の構成を示す概略断面図である。
【図２】同じく小形携帯電灯における冷陰極蛍光管を示す正面図である。
【図３】同じく冷陰極蛍光管を示す斜視図である。
【図４】同じく小形携帯電灯の電気的構成図である。
【図５】同じく小形携帯電灯の性能評価手段の一例を示す概念図である。
【図６】リフレクタの光軸（Ｘ）方向に深さＨと該リフレクタの開口部の直径Ｄの比率Ｈ／Ｄの違いによる性能の変化を調べた結果を示す特性図である。
【図７】冷陰極蛍光管の螺旋直径Ｒとリフレクタ５の開口部の直径Ｄとの比率Ｒ／Ｄの違いによる性能の変化を調べた結果を示す特性図である。
【図８】リフレクタの底部から冷陰極蛍光管の基端までの距離ｈの違いによる性能の変化を調べた結果を示す特性図である。
【図９】（Ａ）冷陰極蛍光管からの光投射距離３．８ｍにおける特性の変化を調べた結果を示す特性図である。（Ｂ）同じく冷陰極蛍光管からの光投射距離９．０ｍでの特性の変化を調べた結果を示す特性図である。
【符号の説明】
【００８３】
２        冷陰極蛍光管（光源）
３        電池
４        点灯駆動回路
５        リフレクタ
Ｄ        リフレクタの開口部直径
Ｈ        リフレクタの深さ
ｈ        間隔（台座の高さ）
Ｌ        冷陰極蛍光管の螺旋の全長
Ｒ        冷陰極蛍光管の螺旋の直径
ｔ        冷陰極蛍光管の管径
Ｘ        光軸（中心軸）
【図１】
0003122276.tif 000003
【図２】
0003122276.tif 000004
【図３】
0003122276.tif 000005
【図４】
0003122276.tif 000006
【図５】
0003122276.tif 000007
【図６】
0003122276.tif 000008
【図７】
0003122276.tif 000009
【図８】
0003122276.tif 000010
【図９】
0003122276.tif 000011